(57)【要約】【課題】同軸ケーブルの端末に端子を接続する際に、撚り線同士が重なり合うのを防ぐこと。【解決手段】内部導体３とこれを包囲する内部絶縁体５とこの外周面に螺旋状に巻き付けられる多数の撚り線１１とこれを包囲する外部絶縁体９とを有する同軸ケーブル１から撚り線の一端部を露出し、露出した撚り線を放射状に広げた状態で円筒状の内筒端子１９と円環状のリング２１との間に挟んでリングを加締める。撚り線を広げるときには、撚り線の露出された部分の根元部分を治具で押し付けながら、同軸ケーブルをその軸を中心として、撚り線の撚り方向と反対方向に回転させるか、或いは、同軸ケーブルを固定し、撚り線の露出された部分の根元部分を治具で押し付けながら、治具を同軸ケーブルの軸を中心として、撚り線の撚り方向に対応する周方向に回転させることにより、撚りを矯正する。【選択図】図１
2013236416.tif 000002
【特許請求の範囲】
【請求項１】
内部導体とその周囲を包囲する内部絶縁体とその外周面に螺旋状に巻き付けられる多数の撚り線とその周囲を包囲する外部絶縁体とを有する同軸ケーブルから前記撚り線の一端部を露出し、この露出した撚り線を放射状に広げた状態で円筒状の内筒端子と円環状のリングとの間に挟んでリングを加締める端子付き同軸ケーブルの製造方法であって、
前記撚り線を広げるときには、該撚り線の露出された部分の根元部分を治具で押し付けながら、前記同軸ケーブルをその軸を中心として、撚り線の撚り方向と反対方向に回転させるか、或いは、同軸ケーブルを固定し、撚り線の露出された部分の根元部分を治具で押し付けながら、該治具を同軸ケーブルの軸を中心として、撚り線の撚り方向に対応する周方向に回転させることにより、撚りを矯正する端子付き同軸ケーブルの製造方法。
【請求項２】
内部導体とその周囲を包囲する内部絶縁体とその外周面に螺旋状に巻き付けられる多数の撚り線とその周囲を包囲する外部絶縁体とを有し、前記撚り線の一端部が露出された同軸ケーブルと、この露出された撚り線の内側に配置される円筒状の内筒端子と、この内筒端子の外周面に配置される多数の前記撚り線を包囲して加締められる円環状のリングとを備えた端子付き同軸ケーブルであって、
前記撚り線は、いずれも撚りが矯正されて前記同軸ケーブルの軸方向に延びた状態で、前記内筒端子と前記リングとの間に挟圧されてなる端子付き同軸ケーブル。
【発明の詳細な説明】
【技術分野】
【０００１】
本発明は、端子付き同軸ケーブル及びその製造方法に関する。
【背景技術】
【０００２】
同軸ケーブルを相手方端子（以下、端子と略す。）に接続する際は、同軸ケーブルの端末処理が行われる。例えば、同軸ケーブルには、内部導体の周囲を内部絶縁体が包囲し、この内部絶縁体の周囲を外部導体である編組線が包囲し、さらにこの編組線の周囲を外部絶縁体が包囲して構成されるものがある。この種の同軸ケーブルを端末処理する場合、外部絶縁体の一端を剥離して外部導体の端末を露出させ、さらに内部絶縁体の一端を剥離して内部導体の端末を露出させる処理が行われる。
【０００３】
特許文献１には、円筒状に形成された端子に同軸ケーブル（シールド電線）を接続する方法が開示されている。端子の孔に挿入された同軸ケーブルは、露出された編組線が端子の筒端面からその外周面に折り返され、その折り返された編組線上に円環状のリングが嵌め込まれる。そして、リングが加締められることにより、端子の外周面に編組線が圧接されて、同軸ケーブルと端子が電気的に接続される。
【０００４】
ところで、特許文献１のシールド電線は、外部導体が導線を網状に編み込んだ編組線で構成される。しかし、同軸ケーブルの中には、この編組線に代えて、例えば多数の電線を内部絶縁体の外周面に沿って螺旋状に巻き付けて構成されるものがある。これらの電線は１本１本が螺旋状に撚って形成され、多数の電線（以下、撚り線という。）の束となって外部導体を構成する。これらの撚り線は、例えば、内部絶縁体の外周面に沿って周方向に一列に並んで配置される。
【０００５】
このように、外部導体が多数の撚り線から構成される同軸ケーブルを端子に接続する方法として、例えば、図２に示すような方法が考えられる。
【０００６】
先ず、図２（ａ）に示すように、端末処理した同軸ケーブル５１を用意する。この同軸ケーブル５１は、端末側から、内部導体５３、内部絶縁体５５、外部導体（撚り線５７）が順に露出されている。続いて、図２（ｂ）に示すように、露出された撚り線５７の端部を放射状に開き、同軸ケーブル５１の端末側から装着された円筒状の端子５９を撚り線５７の内側に位置させる。
【０００７】
次に、図２（ｃ）に示すように、予め同軸ケーブル５１に装着された円環状のリング６１を端末側にスライドさせて、撚り線５７を端子５９の外周面に沿って押し付けながら、端子５９を包囲するように装着する。これにより、撚り線５７は、端子５９の外周面とリング６１の内周面との間に介装された状態となる。最後に、図２（ｄ）に示すように、リング６１を外周側から加締めて、撚り線５７を端子５９とリング６１との間に挟圧させる。
【先行技術文献】
【特許文献】
【０００８】
【特許文献１】特開２００２−２１８６２２号公報
【発明の概要】
【発明が解決しようとする課題】
【０００９】
しかしながら、このように同軸ケーブルの端末から露出する多数の撚り線は、螺旋状の撚りがあるため、図３に示すように、これらの撚り線５７を放射状に広げた場合、各撚り線５７は、螺旋状に撚ったまま延在する。したがって、このように放射状に広げられた撚り線５７の束を包み込むようにリングを嵌め込むと、撚り線が延在する方向とリングを嵌め込む方向が異なることから、図４に示すように、リングの内側で撚り線５７同士が重なり合うおそれがある。このように撚り線同士が重なり合うと、リングの嵌め込み性が悪くなるだけでなく、例えば、端子と同軸ケーブルの接続部分の断面積が周方向で不均一となり、電気抵抗が増大するおそれがある。
【００１０】
本発明は、同軸ケーブルの端末に端子を接続する際に、撚り線同士が重なり合うのを防ぐことを課題とする。
【課題を解決するための手段】
【００１１】
上記課題を解決するため、本発明は、内部導体とその周囲を包囲する内部絶縁体とその外周面に螺旋状に巻き付けられる多数の撚り線とその周囲を包囲する外部絶縁体とを有する同軸ケーブルから撚り線の一端部を露出し、この露出した撚り線を放射状に広げた状態で円筒状の内筒端子と円環状のリングとの間に挟んでリングを加締める端子付き同軸ケーブルの製造方法であって、撚り線を広げるときには、撚り線の露出された部分の根元部分を治具で押し付けながら、同軸ケーブルをその軸を中心として、撚り線の撚り方向と反対方向に回転させるか、或いは、同軸ケーブルを固定し、撚り線の露出された部分の根元部分を治具で押し付けながら、該治具を同軸ケーブルの軸を中心として、撚り線の撚り方向に対応する周方向に回転させることにより、撚りを矯正することを特徴とする。
【００１２】
このように、撚り線の露出された部分の根元部分を押圧しながら、同軸ケーブル又は治具のいずれかを所定の方向に回転させることにより、撚り線の束を放射状に広げながら、撚り線の撚りを矯正することができる。これにより、リングを嵌め込むときに、撚り線が延びる方向とリングの装着方向とのずれ等、に伴う撚り線の位置ずれを防ぐことができるため、撚り線同士が重なり合うのを防ぐことができる。
【００１３】
また、本発明は、内部導体とその周囲を包囲する内部絶縁体とその周囲を包囲する多数の撚り線とその周囲を包囲する外部絶縁体とを有し、撚り線の一端部が露出された同軸ケーブルと、この露出された撚り線の内側に配置される円筒状の内筒端子と、この内筒端子の外周面に配置される多数の撚り線を包囲して加締められる円環状のリングとを備えた端子付き同軸ケーブルであって、撚り線は、いずれも撚りが矯正されて同軸ケーブルの軸方向に延びた状態で、内筒端子とリングとの間に挟圧されてなることを特徴とする。
【００１４】
このように構成される端子付き同軸ケーブルは、撚り線同士が重なり合うことなく配列されるため、同軸ケーブルと端子との接続部分における周方向の断面積が均一化され、電気抵抗の増加を抑制することができる。
【発明の効果】
【００１５】
本発明によれば、同軸ケーブルの端末に端子を接続する際に、撚り線同士が重なり合うのを防ぐことができる。
【図面の簡単な説明】
【００１６】
【図１】本発明に係る端子付き同軸ケーブルの組み立て方法を説明する図である。
【図２】従来の端子付き同軸ケーブルの製造方法を説明する図である。
【図３】従来の方法により、撚り線を広げたときの撚り線の状態を示す図である。
【図４】撚り線同士がリングの内側で重なり合う状態を示す図である。
【発明を実施するための形態】
【００１７】
以下、本発明に係る端子付き同軸ケーブルの実施の形態について図面を参照して説明する。図１は、本実施の形態の端子付き同軸ケーブルの構成（図１（ｆ））とその製造方法（図１（ａ）〜（ｆ））を示す図である。なお、図１（ａ）で示した符号は、図１（ｂ）〜（ｆ）では省略する。
【００１８】
本実施の形態で使用される同軸ケーブル１は、図１に示すように、内部導体（芯線）３と、この内部導体３の周囲を包囲しながら長手方向に延長する内部絶縁体５と、この内部絶縁体５の周囲を包囲しながらその長手方向に延長する外部導体７と、さらにこの外部導体７の周囲を包囲しながらその長手方向に延長する外部絶縁体９（シース）とを備えて構成される。
【００１９】
外部導体７は、多数の撚り線１１が内部絶縁体５の外周面に沿って螺旋状に巻き付けて構成される。本実施の形態では、撚り線１１は、内部絶縁体５の外周面に沿って周方向に１列に並んで隙間なく配置されている。なお、撚り線１１は、図１（ａ）に示すように、内部導体３の軸に沿って矢印Ａの方向からみたときに、時計回りで内部絶縁体５の外周面に螺旋状に巻き付いている。
【００２０】
同軸ケーブル１は、端子１３に接続するために、その端末には端末処理が施される。すなわち、外部絶縁体９の一端を剥離して外部導体７の端末を露出させ、さらに内部絶縁体５の一端を剥離して内部導体３の端末を露出させる処理が行われる。図１（ａ）に示すように、端末処理された同軸ケーブル１は、その端末から、内部導体３、内部絶縁体５、外部導体７の順に露出された状態となる。本実施の形態では、端末処理された同軸ケーブル１の外部導体７が、端子１３に接続される。
【００２１】
端子１３は、図１（ｄ）に示すように、平板状の端子本体１５と、その端子本体１５の一端側に形成される円形の貫通孔１７と、その貫通孔１７の周縁から円筒状に立ち上がって形成される内筒部１９を有して構成される。貫通孔１７及び内筒部１９は、同軸ケーブル１の端末から露出された内部絶縁体５が挿通可能な内径（孔径）を有しており、さらに内筒部１９は、外部絶縁体９の外径よりも大きな外径を有している。
【００２２】
同軸ケーブル１には、円環状のリング２１が、外部絶縁体９を包囲するように装着される。このリング２１は、同軸ケーブル１の外部絶縁体９の外径よりも大きな内径を有して形成され、同軸ケーブル１の外部絶縁体９に沿ってスライド移動可能に取り付けられる。
【００２３】
次に、このようにして構成される同軸ケーブル１に端子１３を接続する方法を説明する。先ず、図１（ａ）に示すように、端末処理された同軸ケーブル１を用意し、この同軸ケーブル１にリング２１を外嵌する。
【００２４】
続いて、これらの撚り線１１の内側に端子１３の内筒部１９を位置させるため、撚り線１１は、放射状に広げられる。ただし、撚り線１１を単に放射状に広げただけでは、螺旋状に撚ったままとなり、後述するように、リング２１を嵌め込むときに、撚り線１１同士が重なるおそれがある（図４参照）。
【００２５】
そこで、本実施の形態では、図１（ｂ）に示すように、矢印Ｂ、Ｃの方向（例えば、互いに１８０°位相をずらした位置）からそれぞれ専用の治具を用いて撚り線１１の露出された部分の根元部分を所定の方向及び所定の力で押し付けるとともに、同軸ケーブル１をその軸を中心として、撚り線１１の撚り方向と反対の矢印Ｄの方向に所定の速度で回転させる。この回転動作は、例えば、同軸ケーブル１を軸方向で支持しながら、機械的に回転させるようにすればよい。
【００２６】
その結果、図１（ｃ）に示すように、撚り線１１の束は、同軸ケーブル１の軸を中心として放射状に広がり、さらに、撚り線１１の撚りが矯正される。すなわち、治具による押し付け方向や押し付け力、同軸ケーブル１の回転速度などの条件を適宜調整することによって、撚り線１１の螺旋状の撚りをなくすことができる。
【００２７】
次に、図１（ｄ）に示すように、端子１３の内筒部１９を、同軸ケーブル１の端末側から矢印Ｅの方向から外嵌し、内筒部１９を放射状に広がる撚り線１１の内側に位置させる。このとき、内筒部１９の内周面は、同軸ケーブル１の内部絶縁体５と対向する位置に配置される。
【００２８】
続いて、図１（ｅ）に示すように、リング２１を、同軸ケーブル１に沿って矢印Ｆの方向にスライドさせて、撚り線１１を包み込むように押し込み、内筒部１９の外側に冠着させる。
【００２９】
ここで、撚り線１１は、リング２１が嵌め込まれることによって、内筒部１９の外周面に沿って押し込まれるように変形するが、既に撚りは矯正され、リング２１の押し込み方向と撚り線１１が延在する方向とのずれが殆どないことから、撚り線１１は、ねじれを生じることなく、リング２１によって押し込まれる。すなわち、撚り線１１は、互いに重なり合うことなく、同軸ケーブル１の軸方向へ延びた状態で、リング２１の内側に収容される。
【００３０】
このようにしてリング２１の内周面と内筒部１９の外周面との間に撚り線１１が介在された状態で、図１（ｆ）に示すように、リング２１を加締め付けることにより、撚り線１１は、リング２１と内筒部１９との間で挟圧され、同軸ケーブル１と端子１３とが電気的に接続された端子付き同軸ケーブル２３が得られる。
【００３１】
本実施の形態で製造された端子付き同軸ケーブル２３は、リング２１と内筒部１９との間に介在される撚り線１１が同軸ケーブル１の軸方向に延びた状態となり、撚り線１１同士が重なり合うことなく、リング２１と内筒部１９との間に挟圧されたものとなる。これにより、端子と同軸ケーブルの接続部分の断面積が周方向で均一になるから、電気抵抗の増加を抑制することができる。
【００３２】
また、本実施の形態の端子付き同軸ケーブルの製造方法によれば、撚り線１１の束を広げる際に、露出された撚り線１１に治具を押し当てながら同軸ケーブル１を回転させるだけでよいため、撚り線１１が所定の方向に撚っていても、簡単に広げることができ、同時に撚り線１１の撚りを矯正することができる。これにより、例えば、リング２１を嵌め込むときに撚り線１１が延びる方向とリング２１の装着方向とのずれ等に起因する撚り線１１同士の重なり合いを防ぐことができるため、リング２１装着時の抵抗の増加を防ぐことができ、リング２１の装着作業の効率を高めることができる。
【００３３】
また、本実施の形態では、撚り線１１の束を広げる際に、撚り線１１の露出された部分の根元部分を治具で押し付けながら、同軸ケーブル１をその軸を中心として、撚り線１１の撚り方向と反対方向に回転させる方法を述べたが、要は、治具に対して同軸ケーブル１が相対的に撚り線１１の撚り方向と反対方向に回転すればよく、本実施の形態の方法に代えて、同軸ケーブル１を固定し、撚り線１１の露出された部分の根元部分を治具で押し付けながら、その治具を同軸ケーブル１の軸を中心として、撚り線１１の撚り方向に対応する周方向（矢印Ａの方向からみて時計回り）に回転させるようにしても、同様の効果を得ることができる。
【００３４】
以上、本発明の実施の形態を図面により詳述してきたが、上記の実施の形態は本発明の例示にしか過ぎないものであり、本発明は上記の実施の形態の構成にのみ限定されるものではない。本発明の要旨を逸脱しない範囲の設計の変更などがあっても、本発明に含まれることは勿論である。
【００３５】
例えば、本実施の形態では、撚り線１１の束を広げる際に、撚り線１１の露出された部分の２箇所（互いに１８０°位相をずらした位置）に治具を押し当てる例を説明したが、撚り線１１に押し当てる治具の数や治具間の周方向の設置間隔等については、これに限られるものではなく、適宜設定することが可能である。
【符号の説明】
【００３６】
１  同軸ケーブル
３  内部導体（芯線）
５  内部絶縁体
７  外部導体
９  外部絶縁体
１１  撚り線
１３  端子
１９  内筒部
２１  リング
２３  端子付き同軸ケーブル
【図１】
2013236416.tif 000003
【図２】
2013236416.tif 000004
【図３】
2013236416.tif 000005
【図４】
2013236416.tif 000006